(57)【要約】  例えばテレビジョン装置のようなオーディオ・ビデオ装置（１０）は、夫々の音声信号を受信するための２又はそれ以上の補助音声入力部（ＡＵＸ１、ＡＵＸ２及びＡＵＸ３）と、音声出力部と、放送用音声信号及び補助音声入力信号のうちの１つを選択するためのスイッチ配置（１４０、又は１４０及び１８０）とを有する。オーディオ・ビデオ装置（１０）は２つのモードで動作する。オーディオ・ビデオ装置（１０）がオンとされるところの第１のモードでは、スイッチ配置（１４０、又は１４０及び１８０）は、ユーザ命令に応答して補助音声入力信号及び放送用音声信号のうちの１つを選択し、オーディオ・ビデオ装置（１０）がオフとされるところの第２のモードでは、スイッチ配置は、補助音声入力信号のうちの所定の１つを選択する。
2007522716.tif 000002
【特許請求の範囲】
【請求項１】
第１及び第２の動作モードを有するオーディオ・ビデオ装置であって、
第１及び第２の音声信号を受信するための第１及び第２の音声入力部と、
前記第１の音声信号、前記第２の音声信号、及び放送用音声信号のうちの１つを選択するためのスイッチ配置と、
前記選択された音声信号を出力するための音声出力部とを有し、
前記第１の動作モードにおいて、前記スイッチ配置は、ユーザ命令に応答して前記第１の音声信号、前記第２の音声信号、及び前記放送用音声信号のうちの１つを選択し、前記第２の動作モードにおいて、前記スイッチ配置は、前記第１及び第２の音声信号のうちの１つを選択するようデフォルトで所定の位置になることを特徴とするオーディオ・ビデオ装置。
【請求項２】
前記第１の動作モードではオンとされ、前記第２の動作モードではオフとされることを特徴とする請求項１記載のオーディオ・ビデオ装置。
【請求項３】
当該オーディオ・ビデオ装置がオフとされる場合に、待機電力供給源により供給される待機電力が当該オーディオ・ビデオ装置に対して利用可能であり、当該オーディオ・ビデオ装置がオンとされる場合に、主電源により供給される主電力及び前記待機電力の両方が当該オーディオ・ビデオ装置に対して利用可能であることを特徴とする請求項２記載のオーディオ・ビデオ装置。
【請求項４】
制御装置を更に有し、
該制御装置は、当該オーディオ・ビデオ装置がオフとされている場合に前記待機電力により動作可能であり、前記制御装置は、ユーザ命令に応答して当該オーディオ・ビデオ装置をオンとすることを特徴とする請求項３記載のオーディオ・ビデオ装置。
【請求項５】
前記スイッチ配置は、当該オーディオ・ビデオ装置がオフとされている場合にユーザ命令に応答しないことを特徴とする請求項４記載のオーディオ・ビデオ装置。
【請求項６】
前記スイッチ配置は、当該オーディオ・ビデオ装置がオフとされている場合に前記待機電力を受けないことを特徴とする請求項４記載のオーディオ・ビデオ装置。
【請求項７】
前記スイッチ配置は、トランジスタを有することを特徴とする請求項６記載のオーディオ・ビデオ装置。
【請求項８】
前記スイッチ配置は、前記第１の音声信号、前記第２の音声信号、及び前記放送用音声信号のうちの１つを選択するための電子スイッチと、該電子スイッチの出力部へ結合された第１の入力端子、前記第１及び第２の音声入力部の１つへ結合された第２の入力端子、及び前記音声出力部へ結合された出力端子を有する第２のスイッチとを有し、
当該オーディオ・ビデオ装置がオンとされる場合に、前記第２のスイッチの出力端子は、前記第１の入力端子へ結合され、当該オーディオ・ビデオ装置がオンとされない場合に、前記第２のスイッチの出力端子は、前記第２の入力端子へ結合されることを特徴とする請求項４記載のオーディオ・ビデオ装置。
【請求項９】
前記第２のスイッチは、前記待機電力によってではなく前記主電力によって電力を供給されるソレノイドスイッチであり、前記主電力が利用可能でない場合には、前記ソレノイドスイッチは、前記出力端子を前記第２の入力端子へ接続することを特徴とする請求項８記載のオーディオ・ビデオ装置。
【請求項１０】
前記第２のスイッチは、前記制御装置によって制御される固体スイッチであり、前記制御装置は、前記主電力が利用可能である場合には前記第２のスイッチに前記第１の入力端子を前記出力端子へ接続させ、前記主電力が利用可能でないが前記待機電力が依然として利用可能である場合には前記第２の入力端子を前記出力端子へ接続することを特徴とする請求項８記載のオーディオ・ビデオ装置。
【請求項１１】
前記第２のスイッチは、前記第１及び第２の音声入力部の別の１つへ結合された第３の入力端子を有し、当該オーディオ・ビデオ装置がオンとされない場合に、前記第２のスイッチの出力端子は、前記第２及び第３の入力端子の所定の１つへ結合されることを特徴とする請求項８記載のオーディオ・ビデオ装置。
【請求項１２】
前記第２のスイッチは、前記制御装置によって制御される第１、第２、及び第３の固体スイッチを有し、夫々のスイッチは、入力端子及び出力端子を有し、前記第１、第２、及び第３の固体スイッチの出力端子は、つなぎ合わされて、前記第２のスイッチの出力端子を形成し、前記第１の固体スイッチの入力端子は、前記第２のスイッチの第２の入力端子であり、前記第２の固体スイッチの入力端子は、前記第２のスイッチの第３の入力端子であり、前記第３の固体スイッチの入力端子は、前記第２のスイッチの第１の入力端子であることを特徴とする請求項１１記載のオーディオ・ビデオ装置。
【請求項１３】
前記制御装置は、当該オーディオ・ビデオ装置がオンとされる場合に前記第３の固体スイッチをオンとし、当該オーディオ・ビデオ装置がメモリに格納された情報に従ってオフとされる場合に前記第１及び第２の固体スイッチの１つをオンとすることを特徴とする請求項１２記載のオーディオ・ビデオ装置。
【請求項１４】
前記音声出力部は、音声増幅器へ結合されることを特徴とする請求項３記載のオーディオ・ビデオ装置。
【請求項１５】
当該オーディオ・ビデオ装置がオフとされる場合に、前記待機電力は、当該オーディオ・ビデオ装置に対して利用可能でないことを特徴とする請求項３記載のオーディオ・ビデオ装置。
【請求項１６】
第１の音声信号を受信するための第１の音声入力部と、
主電力を供給するための主電源及び待機電力を供給するための待機電力供給源と、
前記第１の音声信号及び放送用音声信号のうちの１つを選択するための第１のスイッチと、
前記選択された音声信号を出力するための音声出力部と、
ユーザ信号に応答して前記第１のスイッチを制御するための制御装置とを有し、
前記制御装置及び前記第１のスイッチは、前記待機電力が利用可能である場合に動作可能であることを特徴とするテレビジョン装置。
【請求項１７】
前記第１のスイッチの出力部へ結合された第１の入力端子と、前記第１の音声入力部へ結合された第２の入力端子と、前記音声出力部へ結合された出力端子とを有する第２のスイッチを更に有し、
当該オーディオ・ビデオ装置がオンとされる場合に、前記第２のスイッチの出力端子は、前記第１の入力端子へ結合され、当該オーディオ・ビデオ装置がオンとされない場合に、前記第２のスイッチの出力端子は、前記第２の入力端子へ結合されることを特徴とする請求項１６記載のテレビジョン装置。
【請求項１８】
前記第２のスイッチは、前記制御装置によって制御されないことを特徴とする請求項１７記載のテレビジョン装置。
【請求項１９】
前記第１のスイッチは、前記主電力が利用可能でない場合に動作不能であるが、前記第２のスイッチは、前記主電力及び前記待機電力のうちの一方が利用可能である場合に動作可能であることを特徴とする請求項１７記載のテレビジョン装置。
【請求項２０】
第１及び第２の動作モードを有するオーディオ・ビデオシステムであって、
第１の音声信号を受信する第１の音声入力部と、前記第１の音声信号及び放送用音声信号のうちの１つを選択するためのスイッチ配置と、前記選択された音声信号を出力するための音声出力部とを有するテレビジョン装置と、
該テレビジョン装置の音声出力部へ結合された音声増幅器とを有し、
前記第１の動作モードにおいて、前記スイッチ配置は、ユーザ命令に応答して前記第１の音声信号及び前記放送用音声信号のうちの１つを選択し、前記第２の動作モードにおいて、前記スイッチ配置は、デフォルトで前記第１の音声信号を選択させられることを特徴とするオーディオ・ビデオシステム。
【請求項２１】
前記スイッチ配置は、前記第１の音声信号及び前記放送用音声信号のうちの１つを選択するための電子スイッチと、前記第１のスイッチの出力部へ結合された第１の入力端子、前記第１の音声入力部へ結合された第２の入力端子、及び前記音声出力部へ結合された出力端子を有する第２のスイッチとを有し、
当該オーディオ・ビデオ装置がオンとされる場合に、前記第２のスイッチの出力端子は、前記第１の入力端子へ結合され、当該オーディオ・ビデオ装置がオンとされない場合に、前記第２のスイッチの出力端子は、前記第２の入力端子へ結合されることを特徴とする請求項２０記載のオーディオ・ビデオシステム。
【発明の詳細な説明】
【技術分野】
【０００１】
概して、本発明は、特に待機モード又は電源オフモードの間に、オーディオ・ビデオ装置において１又はそれ以上の外部音声入力から音声出力を選択することに関する。
【背景技術】
【０００２】
住居環境において、ユーザは、例えばＤＶＤ（デジタル・バーサトル・ディスク）プレーヤー、セットトップボックス、ＣＤ（コンパクトディスク）プレーヤー、ＭＰ３プレーヤー、及びカラオケ装置のような幾つかの補助オーディオ・ビデオ機器を、例えばテレビジョン装置のような主要なオーディオ・ビデオ装置へと接続しうる。その場合に、テレビジョン装置は、ハイファイ増幅器へ接続されている。このように、全てのオーディオ・ビデオ機器は、同じハイファイ増幅器を共有することができる。
【発明の開示】
【発明が解決しようとする課題】
【０００３】
このような構造の欠点は、テレビジョン装置は、テレビジョン装置がオンとされる場合にはハイファイ増幅器へ接続されるべき音声入力信号のうちの１つを選択することができるが、テレビジョン装置がオフとされている又は電源プラグを抜かれている場合にはそのような選択を行うことができない点である。従って、ユーザが映像とは無関係に補助オーディオ・ビデオ機器の１つから音声のみを楽しみたい場合でさえ、ユーザは、依然として以下の１つを実行する必要がある。第１に、ユーザは、テレビジョン装置１０をオンとする必要があるが、そのことは、ユーザは映像を見ていないので、エネルギーの浪費の構成要素となる。第２に、ユーザは、テレビジョン装置から所望の補助オーディオ・ビデオ機器の音声出力を取り出し、その出力をハイファイ増幅器へ再接続しうるが、そのことは、ユーザが接続ケーブルを前後に移動させなければならないので、面倒である。最後に、補助オーディオ・ビデオ機器の音声出力をテレビジョン装置へ接続する代わりに、ユーザは、補助オーディオ・ビデオ機器の夫々の音声出力をハイファイ増幅器の入力部へ接続しうるが、そのことは、補助オーディオ・ビデオ機器の出力がハイファイ増幅器への音声及びテレビジョン装置への映像といったように２つの異なる装置へ達しなければならないので、不便であり、接続配置を不必要に複雑にする。そのようなものとして、テレビジョン装置がオフとされる場合に補助音声入力部のうちの１つをテレビジョン装置の音声出力へ接続する能力を有するが、テレビジョン装置の費用を著しく増大させることのないテレビジョン装置を有する必要がある。
【課題を解決するための手段】
【０００４】
本発明の１つの態様に従って、オーディオ・ビデオ装置は、夫々の第１及び第２の音声信号を受信するための第１及び第２の音声入力部と、音声出力部と、２つの音声入力部のうちの１つを選択するためのスイッチ配置とを有する。オーディオ・ビデオ装置は、２つのモードで動作する。第１のモードでは、スイッチ配置は、ユーザ命令に応答して２つの入力及び放送用音声信号のうちの１つを選択し、第２のモードでは、スイッチ配置は、２つの入力音声信号のうちの所定の１つを選択する。
【０００５】
第１のモードでは、オーディオ・ビデオ装置はオンとされ、第２のモードでは、オーディオ・ビデオ装置はオフとされるか、あるいは電源プラグを抜かれる。オーディオ・ビデオ装置は、一例として、テレビジョン装置である。
【０００６】
本発明の他の実施例は、上述したようなオーディオ・ビデオ装置を含むが音声入力部は１つだけであるオーディオ・ビデオシステムであり、音声増幅器は、オーディオ・ビデオ装置の出力部へ結合されている。この場合に、第１の動作モードでは、スイッチ配置は、ユーザ要求に応答して出力のために入力音声信号及び放送用音声信号のうちの１つを選択し、第２の動作モードでは、スイッチ配置は音声入力部を選択する。
【発明を実施するための最良の形態】
【０００７】
添付の図面に関連する本発明の実施例の以下の記述を参照することによって、本発明の上記及び他の特徴及び利点並びにそれらを達成するための方法は更に明らかとなり、本発明は更によく理解されるであろう。
【０００８】
ここに示された例示は、本発明の好ましい実施例を表し、このような例示は、如何なる方法によっても本発明の主旨を限定するように解釈されるべきではない。
【０００９】
対応する参照符号は、幾つかの図面を通して、対応する部分を示す。図面は本発明の実施例を表すが、図面は必ずしも実寸ではなく、特定の機能が、本発明をより良く表し、説明するために誇張されることがある。ここに示された例示は、本発明の様々な実施例を表すが、このような例示は、如何なる方法によっても本発明の主旨を限定するように解釈されるべきではない。
【００１０】
図１は、本発明の原理に従うオーディオ・ビデオシステム１を示す。システム１は、それだけに限定されないが、例えば、テレビジョン装置１０、ハイファイ増幅器１５、左ラウドスピーカー１９０、右ラウドスピーカー１９５及び３つの補助オーディオ・ビデオ機器１１〜１３、即ち、ＤＶＤ（デジタル・バーサトル・ディスク）プレーヤー１１、セットトップボックス（ＳＴＢ）１２、及び補助オーディオ・ビデオ機器（ＡＵＸ）１３のようなオーディオ・ビデオ装置を有する。補助オーディオ・ビデオ機器１３は、カラオケ装置であっても良い。
【００１１】
テレビジョン装置１０は、３つのオーディオ・ビデオ入力部、即ち、ＤＶＤプレーヤー１１からの１つの入力部（ＡＵＸ１）と、セットトップボックス１２からの１つの入力部（ＡＵＸ２）と、補助機器１３からの他の入力部（ＡＵＸ３）とを有する。更に、テレビジョン装置１０は、また、放送用オーディオ・ビデオ信号を受信するためのアンテナ１４を有する。放送用オーディオ・ビデオ信号の音声部は、通常、ハイファイ増幅器１５に受け入れられるベースバンド音声信号を作るよう処理されるべきである。テレビジョン装置１０は、ハイファイ増幅器１５へ結合された音声出力部を有し、ハイファイ増幅器１５は、左右の音声信号を左右のラウドスピーカー１９０及び１９５へ夫々出力する。３つの補助オーディオ・ビデオ入力部が示されているが、テレビジョン装置１０は、オーディオ・ビデオ入力部を幾つ有しても良い。
【００１２】
テレビジョン装置１０は、２つの動作モードを有する。第１の動作モードでは、テレビジョン装置１０は、オーディオ・ビデオ機器１１〜１３からの音声信号及び処理された放送用音声信号の１つを選択し、ユーザ命令に応答して、選択されたオーディオ・ビデオ信号を音声出力部を介して出力する。当然、映像信号は、表示装置に表示される。表示装置は、示されるようにテレビジョン装置１０に組み込まれているか、あるいは、テレビジョン装置１０から分離した装置でありうる。その場合に、選択された音声信号は、ハイファイ増幅器１５へ結合される。以下の説明では、ユーザが音声にのみ関心がある状況を強調するために、音声切替えのみが記されている。
【００１３】
本発明の原理に従って、第２の動作モードでは、テレビジョン装置１０は、ユーザが入力した命令とは無関係に、オーディオ・ビデオ機器１１〜１３からの音声信号のうちの所定の１つを選択する。
【００１４】
実施例として、第１の動作モードは、テレビジョン装置１０がオンとされるところのモードであり、第２の動作モードは、テレビジョン装置１０がオフとされているところのモードである。テレビジョン装置がオンとされる場合に、テレビジョン装置１０内の全ての回路は、電力を主電源から得る。テレビジョン装置１０がオフとされる場合に、テレビジョン装置１０は、依然として外部電源へ接続されたままであっても良い。この場合に、主電源は利用することができないが、テレビジョン装置１０の処理装置は、依然として待機電力を利用することはできる。従って、処理装置は、電源オン又は電力調整制御信号を検出することができ、ユーザ命令に応答してテレビジョン装置１０をオンとする。しかし、テレビジョン装置１０内の他の回路は、待機電力を利用することができない。テレビジョン装置１０がオフとされ、外部電源からの電源プラグを抜かれている場合には、テレビジョン装置１０内の全ての回路は、主電力及び待機電力の両方を利用することができない。簡単のため、主電源、待機電力供給源、外部電源、及び処理装置は、図１には示されない。
【００１５】
本発明の原理に従って、第２の動作モードでは、待機電力が利用可能であろうとなかろうと、テレビジョン装置１０は、ハイファイ増幅器１５への出力のためにオーディオ・ビデオ機器１１〜１３からの音声信号のうちの所定の１つを選択する。
【００１６】
図２は、図１に示されたテレビジョン装置１０の実施例を示す。テレビジョン装置１０は、ローカル（その場所でしか使用することができない）キーボード１０５からの及び赤外線（ＩＲ）受信器１１０からのユーザ入力制御信号を受信するための制御装置１００を有する。ＩＲ受信器１１０は、リモートコントロールユニット１１５によって送信されたリモートコントロール信号を受信して復号する。制御装置１００は、マイクロプロセッサ又はマイクロコンピュータであっても良く、テレビジョンチューナ１２０に、ユーザによって入力されたデータに応答して、同調すべき特定のＲＦ信号を選択させる。チューナ１２０は、中間周波数（ＩＦ）で信号を作り、それを、画像（ＰＩＸ）増幅段及び映像検出装置を含む第１の部分１２５ａと、音響増幅段、音声検出装置及びステレオデコーダを含む第２の部分１２５ｂとを有する処理ユニット１２５へ印加する。処理ユニット１２５は、ベースバンド映像信号（ＴＶ）及びベースバンド左右音声信号を作る。
【００１７】
ベースバンド映像信号（ＴＶ）は、ライン１２６を介して４つの入力映像スイッチ１３０のうちの１つへ結合される。ベースバンド左右音声信号は、４対の音声入力部のうちの一対の入力部を選択することができる音声スイッチ１４０の一対の入力部へ印加される。映像スイッチ１３０及び音声スイッチ１４０は、夫々、外部供給源から夫々のベースバンド映像及び音声信号を受信するために、ＡＵＸ１、ＡＵＸ２及びＡＵＸ３と符号を付された３つの他の入力部を有する。映像スイッチ１３０及び音声スイッチ１４０の入力部の夫々は、制御装置１００により発生して、導電体１３１及び１３２を介して制御入力部Ｃ１及びＣ０へ夫々印加される２進信号に応答して選択可能である。例えば、Ｃ１及びＣ０の両方が低い信号レベル（即ち、２進００）とされる場合には、ＴＶ入力が選択される。Ｃ１が低く、Ｃ０が高い（２進０１）場合には、ＡＵＸ１が選択される。Ｃ１が高く、Ｃ０が低い（２進１０）場合には、ＡＵＸ２が選択される。Ｃ１及びＣ０の両方が高い（２進１１）場合には、ＡＵＸ３が選択される。対応する映像及び音声信号の選択は、制御ライン１３１及び１３２が映像スイッチ１３０及び音声スイッチ１４０の両方の夫々の制御入力部Ｃ１及びＣ０へ結合されているので、確実になされる。
【００１８】
選択された映像信号は、表示装置１７０の表示スクリーン上での最終表示のために、映像処理ユニット１６０へ印加される輝度（Ｙ）信号及びクロミナンス（Ｃ）信号を分離するくし形フィルタユニット１５０へ印加される。選択された音声信号は、第２の音声スイッチ配置１８０へ印加される。
【００１９】
第２の音声スイッチ配置１８０は、実施例では、４つの入力、即ち、音声スイッチ１４０の出力部からの１つの入力と、ＡＵＸ１、ＡＵＸ２及びＡＵＸ３の夫々からの他の３つの入力とを有する。スイッチ配置１８０は、４つの入力のうちの１つを選択し、選択された音声信号は、最終的に、ハイファイ増幅器１５（図２には示さず。）によりスピーカ１９０及び１９５を介して再生される。選択された音声信号は、また、内部スピーカ（図示せず。）へ結合されても良い。ＡＵＸ１、ＡＵＸ２及びＡＵＸ３からの全ての３つの入力は、第２のスイッチ配置１８０へ結合されるよう示されているが、他の配置が可能である。例えば、製造者は、費用節約又は他の目的のために、３つの補助音声入力のうちの１つ又は２つのみを第２のスイッチ配置１８０へ結合するよう選択しても良い。
【００２０】
テレビジョン装置１０は、また、主電力を供給するための主電源１０１と、待機電力を供給するための待機電力供給源１０２とを有する。主電源１０１及び待機電力供給源１０２は、両方とも、例えば１１０ボルト交流電源といった外部電源（図示せず。）から電力を得る。主電力は、テレビジョン装置１０内の全ての回路に利用される。待機電力は、エネルギーを節約するよう、例えば制御装置１００及びＩＲ受信器１１０といったテレビジョン装置１０内の幾つかの回路に利用される。簡単のため、テレビジョン装置１０内の他の回路への主電力の接続は、図２には示されない。
【００２１】
第１の動作モードでは、主電源及び待機電力供給源の両方が動作電力を供給する。テレビジョン装置１０内の全ての構成要素は、主電力を利用することができる。
【００２２】
第２の動作モードでは、外部電源が依然として利用可能である場合に、主電源１０１が主電力を発生させないとしても、待機電力供給源１０２は待機電力を供給し続けるべきである。しかし、制御装置１００及びＩＲ受信器１１０のみが待機電力を利用することができるので、制御装置１００は、リモートコントロールユニット１１５及びローカルキーボード１０５からの電源オン又は電力調整制御信号を検出することができ、スイッチ（図示せず。）をオンとして、実際にはテレビジョン装置１０をオンとするよう主電源１０１を外部電源へ接続する。音声スイッチ１４０及び他の回路は、待機電力を利用することができない。音声スイッチ１４０は、動作電力が利用可能でない場合に入力を出力へ接続することができないスイッチである。例えば、音声スイッチ１４０は、例えば、テキサスインスツルメント社製の部品ＣＤ４０６６のようなＣＭＯＳトランジスタを含む電子スイッチであっても良い。動作電力がない場合に、電子スイッチは、入力を出力へ接続することができるべきではない。
【００２３】
外部電力が利用可能でない（例えば、テレビジョン装置１０が電源プラグを抜かれる）場合に、主電力及び待機電力は両方とも利用することができず、音声スイッチ１４０は、入力信号をその出力部へ接続することが再びできない。
【００２４】
そのようなものとして、第２の動作モードでは、音声スイッチ１４０は、入力を出力部へ接続することができない。しかし、ＡＵＸ１、ＡＵＸ２及びＡＵＸ３の入力部の１つ又はそれ以上は、第２の音声スイッチ配置１８０の入力部へ結合されており、ＡＵＸ１、ＡＵＸ２及びＡＵＸ３からの信号のうちの１つは、本発明の原理に従って、たとえ主電力及び／又は待機電力が利用可能でないとしても選択される。
【００２５】
図３は、第２の音声スイッチ１８０の実施例を表す。第２の音声スイッチ配置１８０は、電気機械スイッチ３１０、実施例ではソレノイドスイッチ又はリレーを有する。電気機械スイッチ３１０は、ソレノイド３１５を有する。ソレノイド３１５は、充電される際に入力端子３１２を出力端子３１１へ接続し、放電される際に入力端子３１３を出力端子３１１へ接続する。入力端子３１２、入力端子３１３、及び出力端子３１１は、実施例では、音声スイッチ１４０の出力部、ＡＵＸ１の入力部、及びハイファイ増幅器１５の入力部へ結合されている。
【００２６】
ソレノイド３１５は、主電源１０１から動作電力を受ける。この場合に、抵抗３１０及びダイオード３０２が、電気機械スイッチ３１０及び主電源１０１を保護するために加えられる。抵抗３０１は、装置の残余負荷を象徴する。
【００２７】
動作において、主電源１０１が動作中である場合に、即ち、第１の動作モードにおいて、ソレノイド３１５は充電されて、実際には音声スイッチ１４０からの音声信号をハイファイ増幅器１５へ接続するよう、電気機械スイッチ３１０を入力端子３１２及び出力端子３１１へ接続させる。主電源が動作していない場合に、即ち、第２のモードにおいて、ソレノイド３１５は充電されず、スイッチ３１０は、たとえテレビジョン装置１０が、待機電力を利用することができる待機モード、又は、例えばテレビジョン装置１０が電源プラグを抜かれている場合のように待機電力を利用することができない電力オフモードにあるとしても、実際にＡＵＸ１の入力部からの音声信号をハイファイ増幅器１５へ接続するよう、入力端子３１３を出力端子３１１へ接続する。
【００２８】
ＡＵＸ１は、実施例で第２のスイッチ配置１８０へ結合されているが、ＡＵＸ入力のいずれか１つが、第２の音声スイッチ配置１８０へ結合するために選択され得る。
【００２９】
図４は、待機電力供給源１０２が動作中である場合に、図３に示されたものと同じ効果を達成することができる第２の音声スイッチ配置１８０の他の実施例を表す。本実施例では、固体スイッチ４１０が使用されるが、他の電子スイッチが同様に用いられても良い。本実施例で使用されうる固体スイッチの一例は、例えば、アメリカ合衆国テキサス州ダラスにあるテキサスインスツルメント社製の部品ＳＮ７４ＡＵＣ２Ｇ５３のような、２：１のアナログマルチプレクサである。この形式の固体スイッチは、動作電力入力部及び制御入力部を有する。それは、また、抑止入力部を有する。抑止入力部は、通常運転状態では低（ｌｏｗ）に設定されるべきである。制御入力部へ供給される低い信号レベル及び高い信号レベルに応じて、スイッチ４１０は、入力端子４１２及び入力端子４１３を出力端子４１１へ夫々接続する。しかし、動作電力入力部が動作電力を利用できない場合には、スイッチ４１０は、入力を出力端子４１１へ接続しない。
【００３０】
本実施例では、主電源１０１及び待機電力供給源１０２は、両方とも、夫々のダイオード４０３及び４０４を介してスイッチ４１０の動作電力入力部へ電力を供給する。ダイオード４０３及び４０４は、電流が主電源１０１及び補助電源１０２に逆流することを防ぎ、これら２つの電源を保護する。主電源１０１は、また、制御信号をスイッチ４１０の制御入力部へ供給する。プルダウン抵抗４０６は、主電源１０１がオフとされる場合に所定の低い信号レベルを供給するよう作用する。主電源１０１が低インピーダンス制御信号出力を有する場合には、プルダウン抵抗４０６は必要とされない。
【００３１】
動作において、主電源１０１及び待機電力供給源１０２が両方とも動作中である場合に、即ち、第１のモードでは、スイッチ配置１８０は、音声スイッチ１４０の出力部をハイファイ増幅器１５の入力部へ接続する。主電源１０１が動作していない、即ち、第２のモードであるが、待機電力供給源１０２が動作中である場合に、スイッチ配置１８０は、ＡＵＸ１の入力部からの音声信号をハイファイ増幅器１５の入力部へ接続する。しかし、主電源１０１及び待機電力供給源１０２が両方とも動作可能でない場合には、スイッチ配置１８０は、入力された如何なる音声信号もハイファイ増幅器１５へ接続しない。従って、ユーザがテレビジョン装置１０をオフとし、テレビジョン装置１０を電源プラグが入れられたままとする場合には、ユーザは、３つの補助音声入力部のうちの予め配線された１つからの音声作品を楽しむことができるべきであるが、ユーザが外部電源とテレビジョン装置１０との接続を切る場合には、ユーザは、予め配線された補助音声入力部からの音声を聞くことができるべきでない。
【００３２】
図５は、第２のスイッチ配置１８０の他の実施例を表す。図５において、全ての補助入力部は、スイッチ配置１８０へ結合されている。スイッチ配置１８０は、本実施例において、４つのスイッチ５１０、５２０、５３０及び５４０を有する。夫々のスイッチは、ハイファイ増幅器１５の入力部へ結合された出力端子を有し、更に入力端子を有する。４つのスイッチの入力端子は、夫々、音声スイッチ１４０、ＡＵＸ１、ＡＵＸ２及びＡＵＸ３の出力部へ結合されている。４つのスイッチは、スイッチ制御部５０５から必要な電力を受ける。スイッチ制御部５０５は、また、制御装置１００からのスイッチ制御信号Ｃ０及びＣ１と、主電源１０１及び待機電力供給源１０２の両方からの電力とを受ける。音声スイッチ１４０と共に同じスイッチ制御信号Ｃ０及びＣ１を共有する代わりに、第２のスイッチ配置１８０は、制御装置１００又は他の制御装置（図示せず。）からの別の制御信号の組によって制御されても良い。
【００３３】
動作において、主電力が利用可能である場合に、スイッチ制御部５０５は、必要な電力を供給してスイッチ５１０を閉じるが、制御信号Ｃ０及びＣ１の状態に関わらず、他の３つのスイッチが閉成位置にないように他の３つのスイッチには電力を供給しない。結果として、スイッチ配置１８０は、音声スイッチ１４０からの出力をハイファイ増幅器１５の入力端子へ接続する。
【００３４】
主電力が利用可能でないが、待機電力が利用可能である場合に、スイッチ制御部５０５は、制御信号Ｃ０及びＣ１の状態に従って４つのスイッチのうちの１つへ必要な電力を供給する。例えば、Ｃ１及びＣ０の両方が低い信号レベル（即ち、２進００）とされる場合には、スイッチ制御部５０５はスイッチ５１０へ電力を供給し、音声スイッチ１４０からの出力をハイファイ増幅器１５へ接続する。当然、この場合には、音声スイッチ１４０を動作するために主電力を利用することができないので、音声信号が音声スイッチ１４０の出力部から来ない。Ｃ１が低く、Ｃ０が高い（２進０１）場合には、スイッチ制御部５０５はスイッチ５２０を動作させるよう電力を供給し、ＡＵＸ１をハイファイ増幅器１５へ接続する。Ｃ１が高く、Ｃ０が低い（２進１０）場合には、スイッチ制御部５０５はスイッチ５３０を動作させるよう電力を供給し、ＡＵＸ２をハイファイ増幅器１５へ接続する。Ｃ１及びＣ０の両方が高い（２進１１）場合には、スイッチ制御部５０５はスイッチ５４０を動作させるよう電力を供給し、ＡＵＸ３をハイファイ増幅器１５へ接続する。
【００３５】
スイッチ制御部５０５は、実施例では、例えばフィールドプログラマブル論理アレーを用いて、デジタル論理により実施可能である。
【００３６】
留意すべきは、主電力及び待機電力が両方とも利用可能でない場合に、且つ、図４に示されたもののような固体スイッチが使用される場合に、スイッチ配置１８０は、如何なる入力信号もハイファイ増幅器１５へ接続しない。本実施例で使用されうる例となる電子スイッチパッケージは、アメリカ合衆国テキサス州ダラスにあるテキサスインスツルメント社製ＣＭＯＳクワッド双方向（ｑｕａｄ  ｂｉｌａｔｅｒａｌ）スイッチのＣＤ４０６６である。しかし、図３に示されたもののような電気機械スイッチが使用される場合には、主電力及び待機電力が両方とも利用可能でない場合に、４つのスイッチのうちの所定の１つは閉成位置とされ、他の３つは開成位置とされうる。
【００３７】
主電力が利用可能でない場合に選択されるべき所望の入力は、例えば、電気的消去可能読み出し専用メモリ（ＥＥＰＲＯＭ）のような不揮発性メモリに記録されうる。処理装置が、テレビジョン装置１０が第２のモードにあることを検出する場合に、処理装置１００は、また、メモリからの設定を読み出し、対応するスイッチを閉じるよう必要な制御信号を発生させる。設定は、工場において予め設定されて、メモリ内に記憶されうる。設定は、ユーザによる変更が不可能でありうるか、又は、リモートユニット１１５又はローカルキーボード１０５を用いて、例えばＯＳＤ（Ｏｎ−Ｓｃｒｅｅｎ  Ｄｉｓｐｌａｙ）メニューのようなユーザインターフェースを介してユーザにより変更可能でありうる。代替案として、制御装置１００は、ユーザが望む音声入力を直接的に選択するよう、リモートコントロールユニット１１５又はローカルキーボード１０５からの制御命令を簡単に受けることができる。
【００３８】
上述した全ての例は、共通の利点を有する。即ち、テレビジョン装置１０は、第２の音声スイッチ配置１８０及び関連するインターフェース回路が加えられる点を除いて、従来のテレビジョン装置に類似する。そのようなものとして、テレビジョン装置内の既存の回路は、変形される必要がない。既存の回路を変形することが懸案事項でない場合に、第２の音声スイッチ配置１８０は、音声スイッチ１４０が、主電力が利用可能でない場合に依然として動作可能であるように、音声スイッチ１４０へ待機電力を供給することによってのみ取り除かれても良い。このような配置の一例を図６に示す。図６において、音声スイッチ１４０は、（マイクロプロセッサとして示されている）処理装置１００と同様に、主電力及び待機電力の両方を受ける。図６には、ＥＥＰＲＯＭ１０３も示されている。ＥＥＰＲＯＭ１０３は、上述したように、主電力が利用可能でない場合にどの音声入力が選択されるべきかを予め決めるために用いられる。ＡＵＸ１、ＡＵＸ２及びＡＵＸ３の入力部は、図６において、実施例として、ＤＶＤプレーヤー、セットトップボックス及び補助オーディオ・ビデオ機器へ接続されている。本実施例では、音声スイッチ１４０は、図５に示された類似するスイッチ配置を使用しても良い。
【００３９】
ここで記すように、本発明は、たとえオーディオ・ビデオ装置が待機モードにあっても、あるいは、外部電源との接続を切られているとしても、音声入力をオーディオ・ビデオ装置の音声出力部へ接続しうる音声スイッチ配置を有するオーディオ・ビデオ装置を提供する。オーディオ・ビデオ装置は、実施例では表示部を有するテレビジョン装置であるが、本発明のオーディオ・ビデオ装置は、表示部を組み込まれていないが、１つの補助音声入力部及び放送信号を受信するためのチューナ、又は２又はそれ以上の補助音声入力部を有する、例えばセットトップボックス、ビデオカセットレコーダ（ＶＣＲ）、ＤＶＤプレーヤー、ビデオゲームボックス、パーソナルビデオレコーダ（ＰＶＲ）、コンピュータ、若しくは内蔵の表示装置を有していない他の装置のような、テレビジョン装置に適用可能である。
【００４０】
本発明は、好ましい設計を有するように記述されているが、本発明は、本発明の主旨を損なわない範囲で更に変形されても良い。従って、本願は、その一般的原理を用いる本発明の如何なる変形、使用又は適合も対象としている。更に、本願は、本発明が関連し、且つ、添付の特許請求の範囲の適用範囲内にある従来技術における既知又は慣習的範囲内で生ずるような本開示からのこのような派生も対象としている。
【００４１】
本願は、２００４年１月２３日に米国特許商標局に出願された出願番号６０／５３８，５６３の仮出願に対する優先権と、前記仮出願から生ずる全ての利得とを主張するものである。
【図面の簡単な説明】
【００４２】
【図１】本発明の実施に適した例となるオーディオ・ビデオシステムである。
【図２】図１に示されたテレビジョン装置の実施例である。
【図３】図２に示された第２の音声スイッチ配置の実施例である。
【図４】図２に示された第２の音声スイッチ配置の他の実施例である。
【図５】図２に示された第２の音声スイッチ配置の更なる他の実施例である。
【図６】第２の音声スイッチ配置を備えていない図２に示されたテレビジョン装置の他の実施例である。
【図１】
2007522716.tif 000003
【図２】
2007522716.tif 000004
【図３】
2007522716.tif 000005
【図４】
2007522716.tif 000006
【図５】
2007522716.tif 000007
【図６】
2007522716.tif 000008
【国際調査報告】
2007522716.tif 000009
2007522716.tif 000010
2007522716.tif 000011